(57)【要約】【課題】より肌に優しく洗浄効果の高い音波洗顔器を提供する。【解決手段】手で把持する把持部(31)と、開口部を有するヘッド部(5)とからなるハウジング(30)と、ヘッド部に収容される振動部(12)と、振動部からの振動が伝達される振動伝達部(15)と、振動伝達部と係合して前記開口部から露出する、使用時に肌と接触する接触部(7)とを備え、接触部の表面は、吸水性及び柔軟性を有する革材で被覆されている。【選択図】図２
2013081535.tif 000002
【特許請求の範囲】
【請求項１】
手で把持する把持部と、開口部を有するヘッド部とからなるハウジングと、
前記ヘッド部に収容される振動部と、
前記振動体からの振動が伝達される振動伝達部と、
前記振動伝達部に設けられて前記開口部から露出し、使用時に肌と接触する接触部とを備え、
前記接触部は、吸水性及び柔軟性を有する革材からなることを特徴とする音波洗顔器。
【請求項２】
前記革材はセーム革であることを特徴とする請求項１に記載の音波洗顔器。
【請求項３】
前記振動伝達部は前記ヘッド部に着脱可能に係合されていることを特徴とする請求項１または２に記載の音波洗顔器。
【発明の詳細な説明】
【技術分野】
【０００１】
本発明は、音波洗顔器に係り、詳しくはハンディタイプの音波洗顔器に関する。
【背景技術】
【０００２】
従来、肌に残っている化粧や皮脂汚れを効果的に取り除くと共に、肌の血行促進や新陳代謝を促進させる美顔器として、例えば超音波美顔器が知られている。このような超音波美顔器は、肌に直接接触させるプローブに超音波を伝搬させて肌のマッサージ等を行うものである。このような超音波美顔器をマッサージ機能等に加えて洗顔器として使用することも考えられるが、超音波美顔器は超音波が伝搬し易い金属等の部材を用いた円盤状のプローブを用いることが多く、期待していたほどの洗顔効果を得られるものではなかった。
そこで、洗顔効果を上げることができるように、プローブの代わりに化粧水や美容液を含浸させたウレタンフォームを用いることによって、ウレタンフォームに含まれる水分を介して超音波を伝搬させ、洗顔効果を高めると共に肌に優しい超音波美顔器が開発されている（特許文献１参照）。
【先行技術文献】
【特許文献】
【０００３】
【特許文献１】特開２００７−５０２０４号公報
【発明の概要】
【発明が解決しようとする課題】
【０００４】
しかしながら、上記特許文献１では、ウレタンフォームに含まれる水分が肌に吸収される等して減少すると、超音波を伝搬させるには水分不足の状態となる。水分を介して伝搬する超音波は、ウレタンフォームが水分不足になるとウレタンフォーム中で減衰してしまい、期待された洗顔効果や美顔効果が得られなくなるという問題がある。このため、ウレタンフォームに適宜水分を補給しなければならないという煩わしさがあった。また、ウレタンフォームに含まれる水分が減少したまま使用すると肌との摩擦が大きくなり肌への負担がかかるため、肌に優しい美顔器としては未だ課題が残っている。
【０００５】
本発明は、上述した課題を解決すべくなされたものであり、その目的とするところは、より肌に優しく洗浄効果の高い音波洗顔器を提供することにある。
【課題を解決するための手段】
【０００６】
上記の目的を達成するべく、請求項１の音波洗顔器は、手で把持する把持部と、開口部を有するヘッド部とからなるハウジングと、前記ヘッド部に収容される振動部と、前記振動体からの振動が伝達される振動伝達部と、前記振動伝達部に設けられて前記開口部から露出し、使用時に肌と接触する接触部とを備え、前記接触部は、吸水性及び柔軟性を有する革材からなることを特徴とする。
【０００７】
請求項２の音波洗顔器は、請求項１において、前記革材はセーム革であることを特徴とする。
【０００８】
請求項３の音波洗顔器は、請求項１または２において、前記振動伝達部は前記ヘッド部に着脱可能に係合されていることを特徴とする。
【発明の効果】
【０００９】
請求項１の音波洗顔器によれば、肌に接触する接触部の表面は吸水性及び柔軟性を有する革材で被覆されるので、接触部を肌に接触させても肌への負担が少なく、肌に優しい音波洗顔器を得ることができる。
【００１０】
また、振動部の振動が振動伝達部を介して肌に伝搬され、肌に残っている化粧や皮脂汚れ等を浮き上がらせ、その汚れを革材で拭き取るので、より高い洗顔効果を得ることができる。
【００１１】
また、接触部に吸水性のよい革材を用いているので、泡立てた洗顔クリームや洗顔用石鹸等を接触部に付着させても肌とのなじみがよく、肌に過度な負担を与えることなく洗顔することができる。さらに、革材は保水性があるので、振動伝達部からの音波振動を減衰することなく肌へ伝搬させることができる。
【００１２】
請求項２の音波洗顔器によれば、革材はセーム革であるので、請求項１と同様の効果を得ることができる。セーム革はコラーゲン繊維から構成されており、細いコラーゲン繊維によって肌表面の細かい汚れを拭き取ることができるので、より高い洗顔効果を得ることができる。
【００１３】
請求項３の音波洗顔器によれば、振動伝達部はヘッド部に着脱可能に嵌合されているので、接触部を被覆している革材が汚れたり劣化したりしても交換することができ、高い洗顔効果を維持することができる。
【図面の簡単な説明】
【００１４】
【図１】本発明に係る音波洗顔器の概略構成図である。
【図２】図１のII-II線に沿う部分断面図である。
【図３】アタッチメント部の分解斜視図である。
【図４】本発明に係る音波洗顔器の回路図を表すブロック図である。
【図５】図４に示すコイルに流れる電流のタイミングチャートである。
【発明を実施するための形態】
【００１５】
以下、本発明の実施形態について図面を参照しながら説明する。
図１は、本発明に係る音波洗顔器の概略構成図である。図１に示すように、音波洗顔器１は、上ケース２及び下ケース３を備えている。上ケース２及び下ケース３を組み合わせることにより、音波洗顔器１のハウジング３０が構成される。上ケース２の長手方向中央部にはボタン４が嵌挿されている。
【００１６】
ハウジング３０の長手方向一端のヘッド部５には上ケース２に開口部を有しており、この開口部にリング６が嵌合され、リング６の内側には接触部７が介挿されている。後述するように、リング６及び接触部７等が組み合わされてアタッチメント部８を構成している。アタッチメント部８は、ヘッド部５に取り外し可能に嵌合されている。ハウジング３０の長手方向他端側には把持部３１が形成される。把持部３１はユーザが手に持ちやすい形状であり、音波洗顔器１はハンディタイプの洗顔器である。図示しないが、音波洗顔器１は充電池を内蔵しており、音波洗顔器１の長手方向他端に充電用の端子が設けられ、図示しない充電器に接続することで充電されて使用可能な状態となる。本実施形態の音波洗顔器１は充電時以外電源コードがないため持ち運びに便利であり、旅行等に携帯することにも適している。
【００１７】
図２は、図１のII-II線に沿う部分断面図である。ボタン４は電気絶縁性を有する樹脂で構成されており、例えばゴムや合成樹脂から構成される。上ケース２の内側に面する側となるボタン４の背面には表示部９が設けられており、ボタン４を構成する樹脂は表示部９が発する光を透過できるように、光透過性を有するものであることが好ましい。
【００１８】
表示部９は、ボタン４の操作に応じて現在の音波洗顔器１の作動モードをコントローラ１０からの指令に応じて発光するものである。音波洗顔器１の作動モードは、振動回数に応じてＬＯ／ＨＩの２つのモードが設定されているが、さらに別のモードを備えていてもよい。ここで、ＬＯモードとは単位時間当たり小さい振動数で振動するモードであり、ＨＩモードとは単位時間当たりＬＯモードよりも大きい振動数で振動するモードである。表示部９に設けられている発光素子は、例えばＬＥＤである。発光素子の発光色は単色としてもよいし、音波洗顔器１の作動モードに応じて複数の発光色としてもよい。
【００１９】
コントローラ１０及び駆動部１１は基板３２上に設けられており、コントローラ１０はスイッチ４、表示部９、及び駆動部１１と接続されている。駆動部１１はコントローラ１０からの指令信号に基づいて作動し、振動部１２に通電して振動部１２を振動させる。コントローラ１０、駆動部１１、振動部１２の詳細な作動については後述する。基板３２は、例えばハウジング３０内に一体形成されたステー（図示省略）を介して締結部材により固定されている。
【００２０】
接触部７は、基台（振動伝達部）１３と被覆部（接触部）１４とから構成されており、基台１３の外表面は被覆部１４によって被覆されている。基台１３は、振動部１２からの振動が伝達しやすい部材で構成される。被覆部１４の材質は天然皮革または人工皮革であり、本実施形態ではセーム革を用いている。セーム革は蛋白質の１種であるコラーゲン繊維からなり、細かい汚れを取り除くことに適している。つまり、セーム革は人間の肌と略等しい成分で構成されているので、被覆部１４にセーム革を用いることによって、肌に優しく洗浄効果の高い接触部７を得ることができる。
【００２１】
このように構成された接触部７は、所定位置に係合部７ａが形成されており、リング６によって図２における上下左右方向の接触部７の移動範囲が規定された状態で、振動板（振動伝達部）１５に当接される。ヘッド部５には、コントローラ１０、駆動部１１、及び振動部１２等の電装品をアタッチメント部８と仕切り、ハウジング３０内に格納するために仕切板１６が設けられている。アタッチメント部８に面する仕切り板１６の面には、ハウジング３０内の密閉性を高めるためにシール部材を配設するようにしてもよい。
【００２２】
図３は、アタッチメント部８の分解斜視図を示している。図３に示すように、ヘッド部５に設けられた仕切板１６の略中央には貫通孔１７が穿設されている。振動板１５のヘッド部５に対向する面に振動伝達軸１８が突設されており、振動伝達軸１８が貫通孔１７に嵌合され、振動部１２を構成する振動体に当接される。このような構成とすることにより、振動部１２を構成する振動体が発する振動を、振動板１５を介して接触部７に伝達することができる。なお、振動伝達軸１８は、ブッシュを介して貫通孔１７に嵌合させることにより、ハウジング３０内の密閉性を高めるようにしてもよい。
【００２３】
振動板１５は、さらに、仕切板１６に当接して振動板１５を支持する支持部１９を備えている。このような支持部１９で、振動板１５のハウジング３０内への移動量を規制している。
【００２４】
アタッチメント部８はヘッド部５と着脱可能に係合されており、詳しくはヘッド係合部５ａとリング係合部６ａとが係合されている。このようにアタッチメント部８を着脱可能とすることによって、被覆部１４が汚れたり劣化したりして洗顔効果が低下する場合に、新しいアタッチメント部８と交換することができる。これにより、肌に接触する被覆部１４を清潔な状態にすることができると共に、高い洗顔を維持することができる。なお、アタッチメント部８とヘッド部５とは着脱可能に構成されていればよく、螺合していてもよい。
【００２５】
このように構成された音波洗顔器１の電気回路について以下に説明する。図４に音波洗顔器１の回路図を表すブロック図、図５にコイル２０に流れる電流のタイミングチャートをそれぞれ示す。図４に示すように、コントローラ１０にはスイッチ４、表示部９、及び駆動部１１が接続され、コントローラ１０はスイッチ４からの指令信号により作動状態、即ち作動モード及び作動終了を判断する。コントローラ１０は作動モードに応じて駆動部１１を作動させると共に、表示部９を点灯させる。
【００２６】
駆動部１１は振動部１２に接続され、詳しくは振動部１２を構成するコイル２０に接続される。振動部１２は、コイル２０、振動体２１、及び振動体２１を挟むように設けられた一対の永久磁石２２ａ、２２ｂの集合体として構成される。駆動部１１は、コントローラ１０の通電によって、図５に示すようにコイル２０に流れる電流が反転するように駆動される。コイル２０に流れる電流の向きに応じてコイルから発する磁束の向きが反転し、その磁束の向きに応じて磁化された振動体２１が永久磁石２２ａ、２２ｂの間を往復動することにより、振動体２１が振動する。コントローラ１０は作動モードに応じて、振動体２１が約３００回／秒程度で振動するように駆動部１１への通電を制御する。このように細かい振動即ち音波振動を振動板１５及び接触部７を介して肌に与えることによって、肌に残っている化粧や毛穴の皮脂汚れ等を浮き上がらせると共に、振動を与えることによるマッサージ効果によって肌の代謝機能を促進させることができる。
【００２７】
このように構成された音波洗顔器１の作動について説明する。音波洗顔器１のスイッチ４が操作されることによって、スイッチ４からの信号がコントローラ１０に入力される。コントローラ１０は、スイッチ４からの信号に基づいて作動モードを判断して表示部９に作動モードに応じて点灯素子を点灯させると共に、駆動部１１に通電する。
【００２８】
詳しくは、駆動部１１からコイル２０への通電が図５に示すような電流波形となるように、駆動部１１に通電する。駆動部１１はコイル２０へ通電することによって振動体２１が作動モードに応じた単位時間当たり所定回数で振動する。振動体２１が振動すると、その振動は振動伝達軸１８を介して振動板１５に伝搬され、振動板１５に当接している接触部７も振動する。ユーザは把持部３１を持って、このように振動する音波洗顔器１の接触部７を肌に軽く押し当てて洗顔する。なお、このときに被覆部１４に洗顔クリームやジェル等を水分と共に付着させて洗顔するようにすると、化粧の残りや皮脂汚れをより確実に洗い落とすことができる。また、洗顔クリームやジェル等の洗顔料に含まれる水分を被覆部１４が吸収することによって、振動体２１が発する振動を減衰させることなく肌へ伝搬させることができる。
【００２９】
このように本実施形態では、接触部７の被覆部１４にセーム革を用い、所定回数振動させる接触部７を肌へ押し当てることによって、その振動が毛穴の皮脂や汚れや肌表面の老廃物等を浮き上がらせ、浮き上がった肌の汚れを被覆部１４に配置されたセーム革で取り除くので、洗浄効果の高い音波洗顔器１を得ることができる。
【００３０】
また、細かい振動を肌に与えることによって肌の代謝機能が促進されるので、化粧水や美容液等の浸透力が向上し、肌の状態をより向上させることができる。
【００３１】
さらに、セーム革の保水効果により、水分がセーム革に保持され、振動体２１からの音波振動を減衰させることなく肌へ伝搬させることができる。
【００３２】
以上で実施形態の説明を終えるが、本発明は上述した実施形態に限定されるものではない。
【００３３】
例えば、上記実施形態では振動板１５は貫通孔１７に嵌合されて固定されているが、振動伝達軸１８を回転軸として回転自在にさせてもよい。これにより、接触部７をより滑らかに肌の上で動かすことができるので、洗顔効果をより高めると共に肌へのマッサージ効果をさらに高めることができる。
【００３４】
また、上記実施形態では、振動部１２は、コイル２０、振動体２１、及び永久磁石２２ａ、２２ｂの集合体として構成されているが、振動部１２を１つの振動素子として構成するようにしてもよい。
【００３５】
また、上記実施形態では、接触部７を肌に当接させて洗顔するようにしているが、洗顔クリームやジェル等の洗顔料を接触部７に付着させ、接触部７を肌から離間して、接触部７に付着させた洗顔料を肌に当接するようにして、振動体２１を振動させて洗顔するようにしてもよい。これにより、洗顔料に含まれる水分を介して接触部７の振動が伝搬され、化粧の残りや皮脂汚れを洗い落とすことができる。
【符号の説明】
【００３６】
１  音波洗顔器
１０  コントローラ
１２  振動部
１３  基台（振動伝達部）
１４  被覆部（接触部）
１５  振動板（振動伝達部）
１８  振動伝達軸
２１  振動体
【図１】
2013081535.tif 000003
【図２】
2013081535.tif 000004
【図３】
2013081535.tif 000005
【図４】
2013081535.tif 000006
【図５】
2013081535.tif 000007